(57)【特許請求の範囲】
【請求項１】
採取物が収納された採取容器を収容する収容部と、
前記収容部に配置され、前記採取容器を検知する検知部と、
前記検知部により前記採取容器を検知したときに、位置情報及び時間情報を含む情報を取得する情報取得部と、
取得された前記情報を前記採取容器の外壁部又は蓋部に可読状態で印字する印字部と、
前記採取容器に備えられたＩＣタグに、取得された前記情報を書き込むＩＣタグライタと、
を備えることを特徴とする採取物管理装置。
【請求項２】
測位を行うＧＰＳを備え、
前記情報取得部は、前記ＧＰＳから前記位置情報及び前記時間情報を取得することを特徴とする請求項１記載の採取物管理装置。
【請求項３】
前記検知部により前記採取容器を検知したときに、前記採取容器を識別する識別子を付与する識別子付与部を備え、
前記印字部は、更に前記識別子を前記採取容器の外壁部又は蓋部に可読状態で印字し、
前記ＩＣタグライタは、更に前記識別子を前記ＩＣタグに書き込むことを特徴とする請求項１または２に記載の採取物管理装置。
【請求項４】
前記情報取得部により取得された前記情報と前記識別子とを対応付けて記憶する記憶部を備えることを特徴とする請求項３記載の採取物管理装置。
【請求項５】
前記識別子と前記識別子に対応付けられている前記情報に追加する追加情報とを入力する入力部と、
前記ＩＣタグに記憶されている記憶情報を読み取るＩＣタグリーダを備え、
前記ＩＣタグリーダにより読み取った前記識別子と前記入力部から入力された前記識別子が一致した場合に、前記印字部は、前記追加情報を前記採取容器の外壁部又は蓋部に可読状態で印字し、
前記ＩＣタグライタは、前記追加情報を前記ＩＣタグに書き込み、
前記記憶部は、前記識別子に対応付けられた前記情報に前記追加情報を追加して記憶することを特徴とする請求項４記載の採取物管理装置。
【請求項６】
外部装置と通信を行う通信部を備え、
前記情報取得部は、前記通信部から前記位置情報及び前記時間情報を取得することを特徴とする請求項１記載の採取物管理装置。
【請求項７】
前記検知部により前記採取容器を検知したときに、前記採取容器を識別する識別子を付与する識別子付与部を備え、
前記印字部は、更に前記識別子を前記採取容器の外壁部又は蓋部に可読状態で印字し、
前記ＩＣタグライタは、更に前記識別子を前記ＩＣタグに書き込むことを特徴とする請求項６記載の採取物管理装置。
【請求項８】
前記ＩＣタグに記憶されている記憶情報を読み取るＩＣタグリーダを備え、
前記通信部は、前記識別子と前記識別子に対応付けられている前記情報に追加する追加情報を前記外部装置から取得し、
前記ＩＣタグリーダにより読み取った前記識別子と前記入力部から入力された前記識別子が一致した場合に、前記印字部は、前記追加情報を前記採取容器の外壁部又は蓋部に可読状態で印字し、
前記ＩＣタグライタは、前記追加情報を前記ＩＣタグに書き込むことを特徴とする請求項７記載の採取物管理装置。
【請求項９】
前記ＩＣタグに記憶されている情報を表示する表示部を備えることを特徴とする請求項１〜８の何れか一項に記載の採取物管理装置。
【発明の詳細な説明】
【技術分野】
【０００１】
本発明は、採取物を管理する採取物管理装置に関するものである。
【背景技術】
【０００２】
鉱物や化石等の採取物の採取は、河原、採石場、鉱山、山中等で行なわれ、採取物は採取容器内に収納される。この採取容器の外壁部には、採取地、採取年月日等を記入するための記入欄が設けられており、記入欄に採取地、採取年月日を直接記入することにより採取容器に収納された採取物に関する情報を記録している（例えば、特許文献１参照）。
【０００３】
また、種子や貝等の採取においても採取物を採取容器内に収納し、採取容器の外壁部の記入欄に採取地、採取年月日を直接記入して採取容器に収納された採取物に関する情報を記録している。
【先行技術文献】
【特許文献】
【０００４】
【特許文献１】特開２００５−１７０４７６号公報
【発明の概要】
【発明が解決しようとする課題】
【０００５】
上述のように採取容器に採取地、採取年月日等を直接記入する場合には、採取地の詳細な位置を記入することが困難な場合がある。また採取が河原、採石場、鉱山、山中等で行われるため、採取容器が水濡れすることがあり、また採取容器に土や泥等が付着することがあるため記入欄に記入された文字が読み難くなることがある。
【０００６】
本発明の目的は、採取場所及び採取時間に関する詳細な情報を記録し、その記録した情報を確実に保存できる採取物管理装置を提供することである。
【課題を解決するための手段】
【０００７】
この発明の採取物管理装置は、採取物が収納された採取容器を収容する収容部と、前記収容部に配置され、前記採取容器を検知する検知部と、前記検知部により前記採取容器を検知したときに、位置情報及び時間情報を含む情報を取得する情報取得部と、取得された前記情報を前記採取容器の外壁部又は蓋部に可読状態で印字する印字部と、前記採取容器に備えられたＩＣタグに、取得された前記情報を書き込むＩＣタグライタとを備えることを特徴とする。
【０００９】
またこの発明の採取物管理装置は、測位を行うＧＰＳを備え、前記情報取得部は、前記ＧＰＳから前記位置情報及び前記時間情報を取得することを特徴とする。
【００１０】
またこの発明の採取物管理装置は、前記検知部により前記採取容器を検知したときに、前記採取容器を識別する識別子を付与する識別子付与部を備え、前記印字部は、更に前記識別子を前記採取容器の外壁部又は蓋部に可読状態で印字し、前記ＩＣタグライタは、更に前記識別子を前記ＩＣタグに書き込むことを特徴とする。
【００１１】
またこの発明の採取物管理装置は、前記情報取得部により取得された前記情報と前記識別子とを対応付けて記憶する記憶部を備えることを特徴とする。
【００１２】
またこの発明の採取物管理装置は、前記識別子と前記識別子に対応付けられている前記情報に追加する追加情報とを入力する入力部と、前記ＩＣタグに記憶されている記憶情報を読み取るＩＣタグリーダを備え、前記ＩＣタグリーダにより読み取った前記識別子と前記入力部から入力された前記識別子が一致した場合に、前記印字部は、前記追加情報を前記採取容器の外壁部又は蓋部に可読状態で印字し、前記ＩＣタグライタは、前記追加情報を前記ＩＣタグに書き込み、前記記憶部は、前記識別子に対応付けられた前記情報に前記追加情報を追加して記憶することを特徴とする。
【００１３】
またこの発明の採取物管理装置は、外部装置と通信を行う通信部を備え、前記情報取得部は、前記通信部から前記位置情報及び前記時間情報を取得することを特徴とする。
【００１４】
またこの発明の採取物管理装置は、前記検知部により前記採取容器を検知したときに、前記採取容器を識別する識別子を付与する識別子付与部を備え、前記印字部は、更に前記識別子を前記採取容器の外壁部又は蓋部に可読状態で印字し、前記ＩＣタグライタは、更に前記識別子を前記ＩＣタグに書き込むことを特徴とする。
【００１５】
またこの発明の採取物管理装置は、前記ＩＣタグに記憶されている記憶情報を読み取るＩＣタグリーダを備え、前記通信部は、前記識別子と前記識別子に対応付けられている前記情報に追加する追加情報を前記外部装置から取得し、前記ＩＣタグリーダにより読み取った前記識別子と前記入力部から入力された前記識別子が一致した場合に、前記印字部は、前記追加情報を前記採取容器の外壁部又は蓋部に可読状態で印字し、前記ＩＣタグライタは、前記追加情報を前記ＩＣタグに書き込むことを特徴とする。
【００１６】
またこの発明の採取物管理装置は、前記ＩＣタグに記憶されている情報を表示する表示部を備えることを特徴とする。
【発明の効果】
【００１７】
本発明によれば、採取場所及び採取時間に関する詳細な情報を記録し、その記録した情報を確実に保存できる採取物管理装置を提供することができる。
【図面の簡単な説明】
【００１８】
【図１】第１の実施の形態に係る採取容器の外観を示す図である。
【図２】第１の実施の形態に係るＩＣタグの概略を示す図である。
【図３】第１の実施の形態に係る採取物管理装置の外観を示す図である。
【図４】第１の実施の形態に係る採取物管理装置のブロック構成図である。
【図５】第１の実施の形態に係る採取物管理装置による処理を説明するためのフローチャートである。
【図６】第１の実施の形態に係る採取物管理装置による追加情報の管理処理を説明するためのフローチャートである。
【図７】第２の実施の形態に係る採取物管理システムのブロック構成図である。
【図８】第２の実施の形態に係る採取物管理システムによる処理を説明するためのフローチャートである。
【図９】第２の実施の形態に係る採取物管理システムによる追加情報の管理処理を説明するためのフローチャートである。
【発明を実施するための形態】
【００１９】
以下、図面を参照して第１の実施の形態に係る採取物管理装置について説明する。図１は実施の形態に係る採取容器を示す図である。図１に示すように採取容器２は、一端が閉じ他端に開口部を有する円筒状の収納部４と、収納部４の開口部を閉じる蓋部６を備えている。また、収納部４の内部には、採取された採取物の採取場所を示す位置情報及び採取した日時を示す時間情報等を記録するＩＣタグ８が収容されている。
【００２０】
図２は実施の形態に係るＩＣタグを示す図である。図２に示すようにＩＣタグ８はＩＣタグ本体１２を備え、このＩＣタグ本体１２は、採取容器２の収納部４を形成する素材と同一の素材からなるシート１０によりコーティングされている。例えば、採取容器２の収納部４が、ポリエステルにより形成されている場合には、ポリエステルからなるシート１０によりＩＣタグ本体１２がコーティングされている。また、収納部４がポリエチレンにより形成されている場合にはポリエチレンからなるシート１０により、ポリプロピレンにより形成されている場合にはポリプロピレンからなるシート１０によりＩＣタグ本体１２がコーティングされている。
【００２１】
また、ＩＣタグ本体１２は、メモリを備えたＩＣチップ（図示せず）を備え、このＩＣチップには、ＩＣタグ８に対して送信された情報の受信を行うと共に、メモリに記録されている情報の送信を行うアンテナ（図示せず）が接続されている。なお、ＩＣタグ本体１２には、非接触で情報の読み取り及び書き込みを行うことができるもの、例えば、ＲＦＩＤ（Ｒａｄｉｏ  Ｆｒｅｑｕｅｎｃｙ  Ｉｄｅｎｔｉｆｉｃａｔｉｏｎ）タグ等が用いられる。
【００２２】
図３は第１の実施の形態に係る採取物管理装置の外観を示す図である。図３に示すように採取物管理装置２０は、上面に採取容器２を差し込み収容する採取容器収容部２２を備えている。図４は採取物管理装置２０のブロック構成図である。図４に示すように採取物管理装置２０は、この採取物管理装置２０における制御を行う制御部２４を備えている。制御部２４には、検知部２６、ＧＰＳモジュール２８、計時部３０、ＩＣタグリーダライタ部３２、インクジェットプリンタ３４、入力部３６、表示部３８及び記憶部４０が接続されている。
【００２３】
検知部２６は、採取容器収容部２２内の底部に設けられたスイッチであり、採取容器収容部２２に差し込まれた採取容器２により押し下げられた場合に採取容器２が差し込まれたことを検知し、検知情報を制御部２４に対して出力する。ＧＰＳモジュール２８は、ＧＰＳ衛星から信号を受信し、受信した信号に基づいて測位処理を行い制御部２４に対して位置情報を出力する。ここで位置情報は、緯度・経度の座標で表される。計時部３０は、日時を示す時間情報を制御部２４に対して出力する。
【００２４】
ＩＣタグリーダライタ部３２は、採取容器２の収納部４に収容されているＩＣタグ８に対する位置情報、時間情報等の書き込みやＩＣタグ８に記憶されている情報の読み取りを行う。インクジェットプリンタ３４は、図３に示す高さ方向、即ち、採取容器２の差し込み方向において、印字位置を調整可能な印字ヘッド（不図示）を有し、採取容器２の外壁部に位置情報、時間情報等を可読状態で印字する。
【００２５】
入力部３６は、キーボード等からなり、ＩＣタグリーダライタ部３２によりＩＣタグ８に書き込む情報、インクジェットプリンタ３４により採取容器２の外壁部に印字する情報を入力する。表示部３８は、ＩＣタグリーダライタ部３２によりＩＣタグ８から読み取られた情報や入力部３６により入力された情報を表示する。記憶部４０は、採取容器を識別する採取Ｎｏに対応付けて位置情報及び時間情報を記憶する。
【００２６】
次に図５のフローチャートを参照して第１の実施の形態に係る採取物管理装置２０による採取物に関する情報の管理処理について説明する。図５のフローチャートにおける処理は採取物の採取場所にて実行されるものである。まず採取された採取物は、採取容器２内に収納される。そして採取物が収納された採取容器２の収納部４の開口部を、蓋部６によって閉じる。次に採取容器２を採取物管理装置２０の採取容器収容部２２に差し込む。差し込まれた採取容器２によって検知部２６が押し下げられた場合に、制御部２４は、採取容器２が差し込まれたことを検知し（ステップＳ１０）、ＧＰＳモジュール２８から位置情報を取得し、計時部３０から時間情報を取得する（ステップＳ１１）。
【００２７】
また、制御部２４は、採取容器２を識別する識別子として採取Ｎｏを採番し（ステップＳ１２）、ＩＣタグリーダライタ部３２により位置情報、時間情報及び採取Ｎｏを採取容器２の収納部４に収容されているＩＣタグ８に書き込む（ステップＳ１３）。次に制御部２４は、インクジェットプリンタ３４により位置情報、時間情報及び採取Ｎｏを採取容器２の外壁部に可読状態で印字する（ステップＳ１４）。ここでインクジェットプリンタ３４の印字ヘッドによる印字位置は、印字内容に応じて調整される。例えば採取容器２の外壁部において、上から採取Ｎｏ、位置情報、時間情報の順に印字されるように印字ヘッドによる印字位置が調整される。次に制御部２４は、採取Ｎｏに位置情報及び時間情報を対応付けて記憶部４０に記憶させる（ステップＳ１５）。
【００２８】
従って、採取物管理装置２０の採取容器収容部２２に採取容器２を差し込むことにより、外壁部に位置情報、時間情報及び採取Ｎｏが印字され、収納部４に収容されているＩＣタグ８に位置情報、時間情報及び採取Ｎｏが書き込まれた採取容器２が得られる。
【００２９】
次に図６のフローチャートを参照して第１の実施の形態に係る採取物管理装置２による追加情報の管理処理について説明する。採取容器２の外壁部に追加情報の印字及び採取容器２のＩＣタグ８に追加情報の書き込みを行う場合、採取物管理装置２０の入力部３６により採取Ｎｏ及び追加情報を入力する（ステップＳ２０）。追加情報は、採取物の名称、位置情報に対応する採取地の地名、採取物に関するコメント等である。制御部２４は、入力された追加情報と採取Ｎｏを制御部２４の一時記憶領域等に一時記憶する（ステップＳ２１）。
【００３０】
採取容器２が採取物管理装置２０の採取容器収容部２２に差し込まれ検知部２６により採取容器２が検知されると（ステップＳ２２）、制御部２４は、ＩＣタグリーダライタ部３２によりＩＣタグ８から採取Ｎｏを読み取る（ステップＳ２３）。次に制御部２４は、ＩＣタグ８から読み取った採取Ｎｏと一時記憶されている採取Ｎｏとを比較し（ステップＳ２４）、両採取Ｎｏが不一致の場合（ステップＳ２４、Ｎｏ）には一時記憶された採取Ｎｏ及び追加情報を削除し、追加情報の管理処理を中止する（ステップＳ２８）。
【００３１】
一方、制御部２４は、ＩＣタグ８から読み取った採取Ｎｏと一時記憶されている採取Ｎｏとが一致している場合（ステップＳ２４、Ｙｅｓ）、ＩＣタグリーダライタ部３２により追加情報を採取容器２の収納部４に収容されているＩＣタグ８に書き込む（ステップＳ２５）。次に制御部２４は、インクジェットプリンタ３４により追加情報を採取容器２の外壁部に可読状態で印字する（ステップＳ２６）。ここで、採取容器２の外壁部において追加情報が外壁部に印字された時間情報の下側に印字されるように、インクジェットプリンタ３４の印字ヘッドによる印字位置が調整される。
【００３２】
次に制御部２４は、記憶部４０に記憶している採取Ｎｏの内、一時記憶している採取Ｎｏに対応する採取Ｎｏに、追加情報を対応付けて記憶する（ステップＳ２７）。これにより記憶部４０には、位置情報及び時間情報に追加して、採取Ｎｏに対応付けられた追加情報が記憶される。
【００３３】
この第１の実施の形態によれば、採取物を収納した採取容器２を採取物管理装置２０内に差し込んだ場合に、収納部４に収容されているＩＣタグ８に位置情報及び時間情報を書き込み、採取容器２の外壁部に位置情報及び時間情報を印字している。従って採取場所及び採取時間に関する詳細な情報を正確に記録することができる。またＩＣタグ８に位置情報及び時間情報を書き込んでいるので、採取容器２の水濡れや採取容器２に土や泥等が付着し外壁部に印字した位置情報及び時間情報が読み難くなっても、ＩＣタグ８を用いて位置情報及び時間情報を確実に保存しておくことができる。
【００３４】
また、第１の実施の形態によれば、位置情報及び時間情報と共に採取Ｎｏを、ＩＣタグ８に書き込み、採取容器２の外壁部に印字している。また採取Ｎｏに位置情報及び時間情報を対応付けて記憶部４０に記憶している。従って採取Ｎｏごとに採取場所及び採取時間に関する詳細な情報を記録し管理することができる。
【００３５】
また、第１の実施の形態によれば、追加情報が入力された場合に、ＩＣタグ８に追加情報を書き込み、採取容器２の外壁部に追加情報を印字している。従って位置情報及び時間情報以外の採取に関する情報を追加して記録でき、更に追加した情報を確実に保存しておくことができる。また採取Ｎｏに対応付けて追加情報を記憶部４０に記憶させるため、採取Ｎｏごとに追加情報を記録し管理することができる。
【００３６】
次に第２の実施の形態に係る採取物管理装置について説明する。第２の実施の形態に係る採取物管理装置は、外部装置と通信を行うことにより位置情報及び時間情報を取得するものである。また外部装置と通信を行うことにより追加情報を取得するものである。従って第２の実施の形態では、第１の実施の形態と異なる部分について詳細に説明し、重複する部分は適宜説明を省略する。
【００３７】
図７は第２の実施の形態に係る採取物管理システムのブロック図である。図７に示すように採取物管理システムは、互いに通信可能な採取物管理装置２０及び外部装置５０から構成されている。採取物管理装置２０の制御部２４には、ブルートゥース等の近距離無線通信により外部装置５０との間で情報の送受信を行う通信部４２が接続されている。
【００３８】
外部装置５０はスマートフォンであり、時間を計時する機能、ＧＰＳを用いて位置情報を取得する機能、タッチパネル等による追加情報の入力を受付ける機能及び採取物管理装置２０との間で情報の送受信を行う機能を備えている。また外部装置５０は、採取物管理装置２０において採番された採取Ｎｏに時間情報及び位置情報を対応付けて記憶する記憶部を備えている。
【００３９】
次に図８に示すフローチャートを参照して、第２の実施の形態に係る採取物管理システムによる採取物に関する情報の管理処理について説明する。第１の実施の形態と同様に採取された採取物を採取容器２内に収納し、採取容器２の収納部４の開口部を蓋部６によって閉じる。次に採取容器２を採取物管理装置２０の採取容器収容部２２に差し込む。
【００４０】
採取物管理装置２０の検知部２６により採取容器２が差し込まれたことを検知すると（ステップＳ３０）、制御部２４は、採取Ｎｏを採番し（ステップＳ３１）、採番した採取Ｎｏを通信部４２により外部装置５０に送信する（ステップＳ３２）。
【００４１】
外部装置５０の制御部は、採取物管理装置２０から採取Ｎｏを受信すると（ステップＳ４０）、時間情報を取得し、ＧＰＳを用いて位置情報を取得する（ステップＳ４１）。次に外部装置５０の制御部は、受信した採取Ｎｏに位置情報及び時間情報を対応付けて記憶部に記憶させる（ステップＳ４２）。そして外部装置５０の制御部は、位置情報及び時間情報を採取物管理装置２０に送信する（ステップＳ４３）。
【００４２】
採取物管理装置２０の制御部２４は、位置情報及び時間情報を受信すると（ステップＳ３３）、ＩＣタグリーダライタ部３２により位置情報、時間情報及びステップＳ３１において採番した採取Ｎｏを採取容器２の収納部４に収容されているＩＣタグ８に書き込む（ステップＳ３４）。次に制御部２４は、インクジェットプリンタ３４により位置情報、時間情報及び採取Ｎｏを採取容器２の外壁部に可読状態で印字する（ステップＳ３５）。従って、採取物管理装置２０の採取容器収容部２２に採取容器２を差し込むことにより、外壁部に位置情報、時間情報及び採取Ｎｏが印字され、収納部４に収容されているＩＣタグ８に位置情報、時間情報及び採取Ｎｏが書き込まれた採取容器２が得られる。また外部装置５０の記憶部には、採取Ｎｏに対応付けて位置情報及び時間情報が記憶される。
【００４３】
次に図９のフローチャートを参照して第２の実施の形態に係る採取物管理システムによる追加情報の管理処理について説明する。採取容器２の外壁部に追加情報の印字及び採取容器２のＩＣタグ８に追加情報の書き込みを行う場合、外部装置５０の制御部は、タッチパネルにより採取Ｎｏ及び追加情報が入力されると（ステップＳ５０）、入力された採取Ｎｏ及び追加情報を採取物管理装置２０に送信する（ステップＳ５１）。
【００４４】
一方、採取容器２が採取物管理装置２０の採取容器収容部２２に差し込まれ検知部２６により採取容器２が検知されると（ステップＳ６０）、制御部２４は、ＩＣタグリーダライタ部３２によりＩＣタグ８から採取Ｎｏを読み取る（ステップＳ６１）。次に制御部２４は、外部装置５０から採取Ｎｏ及び追加情報を受信し（ステップＳ６２）、受信した採取ＮｏとＩＣタグ８から読み取った採取Ｎｏとを比較し、両採取Ｎｏの一致を確認する（ステップＳ６３）。なお、両採取Ｎｏが不一致の場合、制御部２４は受信した採取Ｎｏ及び追加情報を削除し外部装置５０に追加情報の管理処理の中止指示を送信し追加情報の管理処理を中止する。
【００４５】
制御部２４は、採取Ｎｏの一致を確認した場合には一致を確認した旨の確認通知を通信部４２を介して外部装置５０に送信する（ステップＳ６４）。次に制御部２４は、ＩＣタグリーダライタ部３２により追加情報を採取容器２の収納部４に収容されているＩＣタグ８に書き込み（ステップＳ６５）、インクジェットプリンタ３４により追加情報を採取容器２の外壁部に可読状態で印字する（ステップＳ６６）。
【００４６】
外部装置５０の制御部は、ステップＳ６４において採取物管理装置２０から送信された一致を確認した旨の確認通知を受信すると（ステップＳ５２）、記憶部に記憶されている採取Ｎｏの内、ステップＳ５０において入力された採取Ｎｏに対応する採取Ｎｏに、ステップＳ５０において入力された追加情報を対応付けて記憶させる（ステップＳ５３）。これにより外部装置５０の記憶部には、採取Ｎｏに対応付けて位置情報、時間情報及び追加情報が記憶される。
【００４７】
この第２の実施の形態によれば、採取物管理装置２０において、外部装置５０から受信した位置情報及び時間情報を、ＩＣタグ８に書き込み、また採取容器２の外壁部に印字している。従って採取場所及び採取時間に関する詳細な情報を正確に記録することができる。またＩＣタグ８に位置情報及び時間情報を書き込んでいるので、採取容器２の水濡れや採取容器２に土や泥等が付着し外壁部に印字した位置情報が読み難くなっても、ＩＣタグ８を用いて位置情報及び時間情報を確実に保存しておくことができる。
【００４８】
また、第２の実施の形態によれば、外部装置５０において、採取Ｎｏに位置情報及び時間情報を対応付けて記憶している。従って採取Ｎｏごとに採取場所及び採取時間に関する詳細な情報を記録し管理することができる。
【００４９】
また、第２の実施の形態によれば、採取物管理装置２０において、外部装置５０から追加情報を受信した場合に、ＩＣタグ８に追加情報を書き込み、採取容器２の外壁部に追加情報を印字している。従って位置情報及び時間情報以外の採取に関する情報を追加して記録でき、更に追加した情報を確実に保存しておくことができる。
【００５０】
また、第２の実施の形態によれば、外部装置５０において、入力された追加情報を採取Ｎｏに対応付けて記憶している。従って採取Ｎｏごとに追加情報を記録し管理することができる。
【００５１】
また、第２の実施の形態によれば、外部装置５０から採取物管理装置２０に位置情報、時間情報及び追加情報を送信し、また外部装置５０の記憶部に採取Ｎｏに対応づけて位置情報、時間情報及び追加情報を記憶させるようにしたため、採取物管理装置２０にＧＰＳモジュール、計時部、入力部及び記憶部等を設ける必要がなくなる。従って採取物管理装置２０において装置の小型化及び製造コストの低減を図ることができる。
【００５２】
また、上述の各実施の形態においては、検知部２６を採取容器収容部２２内の底部に設けられたスイッチとしているが、スイッチに限らず、発光部と受光部とを有するフォトセンサーであってもよい。検知部２６がフォトセンサーの場合には、発光部から受光部に向かって進行する光が採取容器２により遮られたときに採取容器２を検知する。
【００５３】
また、上述した各実施の形態において、採取容器２は、箱状であってもよい。採取容器２が箱状である場合には採取容器収容部２２の開口は円形状に限らず、採取容器２が入る矩形状であってもよい。
【００５４】
また、上述した各実施の形態において、インクジェットプリンタ３４による印字を、採取容器２の外壁部に行うようにしているが、採取容器２の蓋部６に行うようにしてもよい。
【００５５】
また、上述した各実施の形態において、採取容器２は鉱物、化石、種子、貝等の採取に用いる他、水質検査において採取される川の水や海水等を収納するための容器として用いてもよく、また地質検査において採取した土壌を収納するための容器として用いてもよい。
【００５６】
また、上述した各実施の形態において、ＩＣタグ８を採取容器２の収納部４の内部に収容しているが、ＩＣタグ８を採取容器２の外壁部等に貼り付けるようにしてもよい。この場合にＩＣタグ８の物理的損傷を防止するため、シート１０によりコーティングするようにしてもよい。
【００５７】
また、上述した第１の実施の形態においては、ＧＰＳモジュール２８から位置情報を取得し計時部３０から時間情報を取得しているが、ＧＰＳモジュール２８から位置情報及び時間情報を取得するようにしてもよい。
【００５８】
また、上述した第２の実施の形態においては、外部装置５０の制御部は、時間を計時する機能を用いて時間情報を取得しているが、ＧＰＳ衛星から受信した信号に含まれている時刻を示すデータに基づいて時間情報を取得するようにしてもよい。
【００５９】
また、上述した第２の実施の形態において、外部装置５０をスマートフォンとしているが、タブレット端末やノートパソコン等であってもよい。
【００６０】
また、上述した第２の実施の形態において、外部装置５０にカメラ機能を設け、カメラ機能により撮像された画像データを採取Ｎｏに対応付けて外部装置５０の記憶部に記憶させるようにしてもよい。これにより外部装置５０のカメラ機能により撮像された採取物や採取場所の画像データを採取Ｎｏに対応付けて記憶部に記憶させることができる。
【符号の説明】
【００６１】
２…採取容器、４…収納部、６…蓋部、８…ＩＣタグ、１２…ＩＣタグ本体、２０…採取物管理装置、２２…採取容器収容部、２４…制御部、２６…検知部、２８…ＧＰＳモジュール、３０…計時部、３２…ＩＣタグリーダライタ部、３４…インクジェットプリンタ、３６…入力部、３８…表示部、４０…記憶部、４２…通信部、５０…外部装置
【図１】
0006543527.tif 000002
【図２】
0006543527.tif 000003
【図３】
0006543527.tif 000004
【図４】
0006543527.tif 000005
【図５】
0006543527.tif 000006
【図６】
0006543527.tif 000007
【図７】
0006543527.tif 000008
【図８】
0006543527.tif 000009
【図９】
0006543527.tif 000010